(57)【要約】      （修正有）【課題】  上下反転・左右反転した表示が可能な表示装置において、表示状態の把握を容易にし、読み取り誤りを回避する。【解決手段】  情報表示部１のほかに４個の表示状態表示部２ａ、２ｂ、２ｃ、２ｄを備え、反転無し、左右反転、上下反転、左右上下および上下反転の４つの状態に応じていずれか一つに表示する。【選択図】  図２
2006343636.tif 000002
【特許請求の範囲】
【請求項１】
表示情報処理部とその表示情報処理部で処理された表示情報を表示する情報表示部とを備え、前記情報表示部に表示される情報の表示状態を表示するための表示状態表示部を設けたことを特徴とする表示装置。
【請求項２】
前記表示状態表示部は、前記情報表示部の周辺に４個備え、前記情報表示部に表示される情報の表示方向に対応して１個所が点灯することを特徴とする請求項１記載の表示装置。
【請求項３】
前記表示状態表示部は、前記情報表示部に表示される情報に応じて文字または図形を表示することを特徴とする請求項１に記載の表示装置。
【請求項４】
請求項１ないし３のいずれかに記載の表示装置を備えたことを特徴とする制御装置。
【発明の詳細な説明】
【技術分野】
【０００１】
本発明は、モータを駆動する制御装置などに使われる表示装置で、表示情報を反転して表示できる表示装置に関する。
【背景技術】
【０００２】
モータを駆動する制御装置は、機械装置に組込まれて使用されることが多い。機械装置での組み込み状態によっては、制御装置の情報表示部が上下逆になったり、機械装置の外面と反対の方向へ向いてしまうことがある。そのような場合、情報表示の読み取りが困難になることがあり、前記制御装置の情報表示部において、情報を上下逆に表示したり、鏡に映して読み取れるよう反転表示したりできれば非常に便利である。
このような問題への対応として、従来例として、特許文献１および特許文献２においては、上下反転して表示するものが開示されている。また、特許文献３では、左右反転して表示するものが開示されている。
【特許文献１】特開平５−６７９８７号公報（第３頁、図１）
【特許文献２】特開平１１−２９６２５９号公報（第５頁、図２）
【特許文献３】特開平７−８９１３４号公報（第４頁、図１）これらの実施例における表示装置の機能ブロック図を示すと、図６のようになる。ここでは、反転有無設定部３からの指示に従い、表示情報処理部４Ｂにて表示情報が反転処理され、情報表示部１で表示される。
【発明の開示】
【発明が解決しようとする課題】
【０００３】
従来の表示方法では、表示情報を反転して表示した時、表示される情報によっては、反転しているかどうか、どの方向に反転しているのかが判別できず、場合によっては読み取り誤りを起こすという問題があった。
本発明はこのような問題点に鑑みてなされたものであり、表示された情報の反転状態を別の表示部で示すことにより読み取り誤りを回避できる表示装置を提供することを目的とする。
【課題を解決するための手段】
【０００４】
上記問題を解決するため、本発明は次のように構成したのである。
請求項１に記載の発明は、表示情報反転処理部とその処理された表示情報を表示する情報表示部とを備えた表示装置において、表示状態表示部を設けた構成とし、ここで情報表示部に表示される情報の表示状態を表示するようにするものである。
請求項２に記載の発明は、前記表示状態表示部が、前記情報表示部の周辺に４個備えた構成とし、情報表示部に表示される情報の方向に対応して１個所のみ点灯するようにするものである。
請求項３に記載の発明は、請求項１に記載の表示装置において、前記表示状態表示部に文字または図形を表示する機能をもたせ、情報表示部に合わせて単位などを表示できるようにするものである。
請求項４に記載の発明は、制御装置において、請求項１ないし３のいずれかに記載の表示装置を備えるようにし、情報を反転して表示した場合に情報表示の方向が容易に確認できるようにするものである。
【発明の効果】
【０００５】
請求項１の発明によると、表示状態表示部により、情報表示部に表示される情報の左右・上下反転の状態がひと目で分かるので、表示情報を容易に正しく読み取ることができ、読み取り誤りを防止できるという効果がある。
請求項２の発明によると、表示状態表示部は、情報表示部の周辺に４個備え、情報表示部に表示される情報の方向に対応して１個所のみ点灯するので、表示情報を容易に正しく読み取ることができ、読み取り誤りを防止できるという効果がある。
請求項３の発明によると、表示状態表示部に文字または図形を表示することもできるので、情報表示部に表示される情報に合わせて単位などを表示できて、表示情報の認識を助けるという効果がある。
請求項４の発明によると、制御装置に本発明の表示装置を備えたことで、制御装置をいかなる姿勢や向きで機械に組み込んでも、表示情報を容易に正しく読み取ることができ、読み取り誤りを防止できるという効果がある。
【発明を実施するための最良の形態】
【０００６】
以下、本発明の実施の形態について、図に基づいて説明する。
【実施例１】
【０００７】
図１は本発明の第１の実施例を示す表示装置の機能ブロック図、図２は表示装置の情報表示部１と表示状態表示部２の配置を示す図である。  図1において、３は反転有無設定部、４は表示情報処理部、５は表示状態処理部、１は情報表示部、２は表示状態表示部である。
図２において、１は情報表示部、２ａ、２ｂ、２ｃ、２ｄは表示状態表示部である。
【０００８】
以下に、本発明の方法を順を追って説明する。
はじめに表示情報が表示情報処理部４に入力され、反転有無設定部３よりの指示に従って、上下反転および／または左右反転処理を行なう。この処理結果の情報が情報表示部１に表示される。
また、同時に、この表示情報処理部４からの反転処理情報は表示状態処理部５に入力され、表示情報表示部での表示方向が判定処理される。この処理結果で表示情報表示部２では２ａ、２ｂ、２ｃ、２ｄの内ひとつを点灯させる。
図３は表示例を示す。(A)は反転なしの表示例であり、表示状態表示部の内２ａが点灯する。(B)は左右反転のみ表示例であり、表示状態表示部の内２ｂが点灯する。(C)は上下反転のみ表示例であり、表示状態表示部の内２ｃが点灯する。(D)は左右および上下反転の場合の表示例表示例であり、表示状態表示部の内２ｄが点灯する。
このように、情報表示とは別に表示状態を表示するので、表示状態が迅速に明確に把握でき、読み取り誤りを回避することができる。
【実施例２】
【０００９】
図４は第２の実施例を示す表示例である。(A)は反転なし、(D)は左右および上下反転の場合を示す。ここでは、表示状態表示部２として図形などを表示できる能力のあるものを使用する。図４では表示情報として周波数が表示された場合であり、表示状態表示部２には周波数単位のHzを表示している。このように、表示状態表示部２において、上下左右反転状態のみならず、単位情報などをも付加して表示することができる。また、場合によっては文字以外の図形なども表示できる。
【実施例３】
【００１０】
図５は、第３の実施例を示す制御装置の図である。  図５において、３１は表示装置で、３２は制御装置である。ここでの表示装置は、前記第１または第２の実施例の表示装置である。この制御装置が、モータを駆動するインバータ等である場合は、モータを駆動する周波数、電圧、電流、あるいは制御装置の診断結果などを表示することができる。
【産業上の利用可能性】
【００１１】
モータなどを駆動する制御装置のほかに、計測器などの表示機能を有する装置にも広く適用が可能である。
【図面の簡単な説明】
【００１２】
【図１】本発明の第１の実施例を示す表示装置の機能ブロック図
【図２】本発明の第１の実施例を示す表示装置の情報表示部と表示状態表示部の配置
【図３】本発明の第１の実施例を示す表示例
【図４】本発明の第２の実施例を示す表示例
【図５】本発明の第３の実施例の制御装置
【図６】従来例の表示装置の機能ブロック図
【符号の説明】
【００１３】
１    情報表示部
２    表示状態表示部
２ａ  表示状態表示部（反転なし 用）
２ｂ  表示状態表示部（左右反転のみ 用）
２ｃ  表示状態表示部（上下反転のみ 用）
２ｄ  表示状態表示部（左右および上下反転  用）
３    反転有無設定部
４    表示情報処理部
５    表示状態処理部
４Ｂ  表示情報処理部（従来例）
３１  表示装置
３２  制御装置
【図１】
2006343636.tif 000003
【図２】
2006343636.tif 000004
【図３】
2006343636.tif 000005
【図４】
2006343636.tif 000006
【図５】
2006343636.tif 000007
【図６】
2006343636.tif 000008